(57)【要約】【課題】地山及び盛土からの土圧が大きい場合であっても大型化することはなく、施工し易い土留め工法及び土留め構造物を提供する。【解決手段】土留め工法は、法面下部から所定の間隔をおいて土留め壁を立設する工程と、土留め壁と地山との間を埋戻して埋戻し面を形成する工程と、土留め壁の上部から埋戻し面の少なくとも一部を覆うようにシート部材を敷設する工程と、敷設したシート部材を覆うように土留め壁の上部から地山に渡ってコンクリートを打設する工程とを備えている。【選択図】図１
2012158937.tif 000002
【特許請求の範囲】
【請求項１】
法面下部から所定の間隔をおいて土留め壁を立設する工程と、該土留め壁と地山との間を埋戻して埋戻し面を形成する工程と、前記土留め壁の上部から該埋戻し面の少なくとも一部を覆うようにシート部材を敷設する工程と、該敷設したシート部材を覆うように前記土留め壁の上部から地山に渡ってコンクリートを打設する工程とを備えていることを特徴とする土留め工法。
【請求項２】
前記シート部材が土留め壁の上部に断続的に設けられていることを特徴とする請求項１に記載の土留め工法。
【請求項３】
前記シート部材が網目状に形成されていることを特徴とする請求項１又は２に記載の土留め工法。
【請求項４】
法面下部から所定の間隔をおいて立設された土留め壁と、該土留め壁と地山との間を埋戻して形成される埋戻し面と、該土留め壁の上部に設けられ、前記埋戻し面の少なくとも一部を覆うように敷設されるシート部材と、該敷設されたシート部材を覆うように前記土留め壁の上部から地山に渡って打設されたコンクリートとを備えていることを特徴とする土留め構造物。
【請求項５】
前記シート部材が土留め壁の上部に断続的に設けられていることを特徴とする請求項４に記載の土留め構造物。
【請求項６】
前記シート部材が網目状に形成されていることを特徴とする請求項４又は５に記載の土留め構造物。
【請求項７】
互いに対向させて立設した複数の前記土留め壁間に横架されており、該複数の土留め壁を相互に固定する横架部材をさらに備えていることを特徴とする請求項４から６のいずれか１項に記載の土留め構造物。
【発明の詳細な説明】
【技術分野】
【０００１】
本発明は、盛土又は切り土によって形成された法面の土留め工法及び土留め構造物に関する。
【背景技術】
【０００２】
従来からアンカーを利用する土留め工法としては、地中に埋設するアンカーと法面又は土留め壁とを連結させ、引張力を利用して安定させる工法がよく知られており、例えば特許文献１には、アンカーを地山と擁壁との間に埋設するか又は法面に打込む技術が記載されている。また、特許文献２には、擁壁を用いず格子状の土留め壁に帯状アンカーを係合させ、帯状アンカーの配置間隔及び長さを調整することで所望の勾配で安定した法面を形成する技術が記載されている。
【０００３】
より詳しくは、特許文献１には、土留め端部に位置する起立部と、この起立部の下端に直交させて設けられ土砂の下方に埋込まれて土砂の重みを水平面で受け起立部の転動又は滑動を阻止する底版を備えて成る断面Ｌ字形のＬ型擁壁ブロック本体と、起立部の内側で地表から最適計算された深さ位置に設けられた固定端と、固定端に対し、底版の最外端位置より長い寸法位置だけ離隔され、その長手方向を起立部の配列方向に沿わせて水平姿勢で土砂中に埋設されるアンカーブロックと、アンカーブロック及び固定端を相互に緊張し緩みのない状態で結合する線状結合材と、を備え、起立部に加わる土圧及びその他の力の合力を底版のカウンタウェイト作用及びアンカーブロックのアンカー作用の合力で引止めるようにしたＬ型擁壁ブロック及びアンカーブロックによる土留め構造が記載されている。
【０００４】
また、特許文献２には、格子状に形成される土留壁と、土留壁の背後に収容される背後土と、背後土中に埋設される埋設部と、埋設部の土留壁寄りの一端部に連なって後方に折返され、背後土とは反対側の前方へ部分的に突出する鉤状部とを有するアンカー体と、この鉤状部を挿通し、アンカー体を土留壁に係止する長尺状の係止部材とを含む土留構造体が記載されている。
【０００５】
特許文献１に記載の土留め構造によれば、底版控え長さを短くした場合においても安全性を確保すると共に、Ｌ型擁壁ブロックの小型化及び軽量化を図ることが可能であるとされている。また、特許文献２に記載の土留構造体によれば、土圧力に応じてアンカー体の配置間隔およびアンカー長を任意に設定できる構造とすることで、必要とする強度の土留体を構成することができるとされている。
【先行技術文献】
【特許文献】
【０００６】
【特許文献１】特開２００３−７４０７３号公報
【特許文献２】特開平９−５３２４０号公報
【発明の開示】
【発明が解決しようとする課題】
【０００７】
しかしながら、特許文献１に記載の土留め構造では、Ｌ型擁壁ブロックと土砂中に埋設されるアンカーブロックとＬ型擁壁ブロックの底版上に載設される土砂とによって地山からの土圧を支持するため、支持力が多くなるにつれて擁壁ブロックも大きくなるという問題があった。特許文献２に記載の土留構造体では、擁壁を用いずにアンカー体の配置間隔及び長さの調整によって地山からの土圧を支持するため、支持力が多くなるにつれてアンカー体の配置間隔が密になるか、又はアンカー体が長くなることで施工性が悪くなるという問題があった。
【０００８】
従って本発明は上述した従来技術の問題点を解消しようとするものであり、その目的は、地山及び盛土からの土圧が大きい場合であっても大型化することなく、施工し易い土留め工法及び土留め構造物を提供することにある。
【課題を解決するための手段】
【０００９】
本発明の土留め工法は、法面下部から所定の間隔をおいて土留め壁を立設する工程と、土留め壁と地山との間を埋戻して埋戻し面を形成する工程と、土留め壁の上部から埋戻し面の少なくとも一部を覆うようにシート部材を敷設する工程と、敷設したシート部材を覆うように土留め壁の上部から地山に渡ってコンクリートを打設する工程とを備えている。
【００１０】
本発明の土留め工法は、シート部材が土留め壁の上部に断続的に設けられていることが好ましい。
【００１１】
また本発明の土留め工法は、シート部材が網目状に形成されていることも好ましい。
【００１２】
さらに本発明の土留め構造物は、法面下部から所定の間隔をおいて立設された土留め壁と、土留め壁と地山との間を埋戻して形成される埋戻し面と、土留め壁の上部に設けられ、埋戻し面の少なくとも一部を覆うように敷設されるシート部材と、敷設されたシート部材を覆うように土留め壁の上部から地山に渡って打設されたコンクリートとを備えている。
【００１３】
本発明の土留め構造物は、シート部材が土留め壁の上部に断続的に設けられていることが好ましい。
【００１４】
また本発明の土留め構造物は、シート部材が網目状に形成されていることも好ましい。
【００１５】
また本発明の土留め構造物は、互いに対向させて立設した複数の土留め壁間に横架されており、複数の土留め壁を相互に固定する横架部材をさらに備えていることも好ましい。
【発明の効果】
【００１６】
本発明によれば、地山及び盛土からの全土圧を土留め壁によって一時的に支持し、土留め壁から地山に渡って打設されるコンクリートと協働して土圧を支持するため、土留め壁の軽量化を図ることができる。
【００１７】
また本発明によれば、土留め壁と地山との間に埋め戻される埋戻し面の締固めは、作業効率にあわせて、レベルを調整できるので施工性の効率化を図ることができる。
【図面の簡単な説明】
【００１８】
【図１】本発明の第一の実施形態における土留め工法を示す斜視図であって、（Ａ）はコンクリートの打設前を示す図、（Ｂ）はコンクリートの打設後を示す図である。
【図２】本発明の第一の実施形態における土留め工法を示す図であって、（Ａ）は土留め壁を立設した状態を示す図、（Ｂ）は土留め壁と地山との間に盛土した状態を示す図、（Ｃ）は土留め壁から地山に渡ってコンクリートを打設した状態を示す図である。
【図３】本発明の土留め壁の断面図であって、（Ａ）はコンクリートの打設前を示す図、（Ｂ）はコンクリートの打設後を示す図である。
【図４】本発明の土留め壁の他の立設方法を示す図であって、（Ａ）は支持部材を二段に立設した状態を示す図、（Ｂ）は支持部材を三段に立設した状態を示す図、（Ｃ）は１本のアンカー部材に２本の連結部材を設けた状態を示す図である。
【図５】本発明の第一の実施形態における土留め工法において、土留め壁から地山に渡ってシート部材を敷設した状態を示す斜視図である。
【図６】本発明の第一の実施形態における土留め工法において、掘削面に基礎構造物を構築した状態を示す図である。
【図７】本発明の第二の実施形態における土留め工法を示す斜視図であって、（Ａ）はコンクリートの打設前を示す図、（Ｂ）はコンクリートの打設後を示す図である。
【図８】本発明の第二の実施形態における土留め工法において、土留め壁から地山に渡ってシート部材を敷設した状態を示す斜視図である。
【図９】本発明の第三の実施形態における土留め工法を示す斜視図であって、土留め壁を支持部材を用いることなく立設した状態を示す図である。
【発明を実施するための最良の形態】
【００１９】
図１から図６に示すように、本発明の第一の実施形態においては、盛土又は切り土によって形成された法面の土留めをするための土留め構造物１が、法面Ａの下部から所定の間隔をおいて掘削面Ｂ上に立設された土留め壁２と、土留め壁２と地山４との間に埋戻された盛土５により形成された埋戻し面Ｃと、土留め壁２の上部２ａに設けられ、埋戻し面Ｃの一部を覆うように敷設されるシート部材３と、敷設されたシート部材３を覆うように土留め壁２の上部２ａから地山４に渡って打設されたコンクリート６によって形成される基礎地盤Ｄとから構成されている。
【００２０】
さらに詳述すると、土留め壁２は、断面が略山形状となるように形成された鋼板で構成されている。この鋼板は、掘削面Ｂ上に打込まれた立設部材７によって挟持されると共に、法面Ａに打込まれた支持部材８によって支持されて立設している。土留め壁２は土圧を支持できる形状であれば、平板状又は他の形状や、構造であってもよく、塩害やアルカリ等への耐食性を有する土留め壁２であることが望ましい。
【００２１】
立設部材７は、掘削面Ｂに打込まれるアンカー部材７ａ及び７ｂから構成されており、土留め壁２の下部２ｂをアンカー部材７ａ及び７ｂによって挟持することによって、この土留め壁２を立設させている。アンカー部材７ａ及び７ｂの各々は、縦４０ｍｍ×横５０ｍｍ×厚さ３ｍｍのＬ形鋼であるが、土留め壁２を立設することができる形状、大きさ及び構造であれば、凹型のコンクリート平板や鋼材であってもよく、複数の杭であってもよい。
【００２２】
支持部材８は、掘削面Ｂに打込まれるアンカー部材８ａと、一端がこのアンカー部材８ａと連結されており他端が土留め壁２に当接する連結部材８ｂとから構成されている。アンカー部材８ａは縦４０ｍｍ×横５０ｍｍ×厚さ３ｍｍのＬ形鋼、連結部材８ｂはφ１０ｍｍの異形鉄筋である。アンカー部材８ａ及び連結部材８ｂは、土留め壁２の立設を支持することができれば他の形状、大きさ及び構造であってもよい。また、支持部材８の設置方法も、土留め壁２の土圧に耐えうるように立設できるのであれば、図４に示すように法面Ａにアンカー部材８ａを打込み、支持部材８を二段又は三段に設けても、１本のアンカー部材に２本の連結部材を連結するように構成してもよいが、取り外して再利用可能な掘削面Ｂにアンカー部材８ａが打込まれていることが望ましい。
【００２３】
盛土５は、掘削の際に発生した掘削土であって、一定の盛土厚さ毎に転圧して締固めを行い、その上面に埋戻し面Ｃを形成している。盛土５については、埋戻し面Ｃを形成できるのであれば、掘削土の代わりに軽量盛土部材等と置換して形成してもよい。
【００２４】
シート部材３は、矩形網状に構成されており、この網目の大きさは１ｃｍ四方である。シート部材３は、土留め壁２の上部２ａに軸断面がコ字状のキャップ部材９を介して埋戻し面Ｃの一部を覆うようにして設けられている。シート部材３とキャップ部材９との係合は、キャップ部材９に設けられているねじ穴１０にねじ１１を螺合させ固定させることによってなされる。土留め壁２の上部２ａとキャップ部材９との係合も双方に設けたねじ穴１０にねじ１１を螺合させ固定させることによってなされる。なお、シート部材３は後述するコンクリート６と埋戻し面Ｃとが一体となって硬化する形状であれば、いかなる形状であってもよい。また、シート部材３の敷設方法として、埋戻し面Ｃの全面を覆うようにしてもよいし、図５に示すように、さらに、地山４にまで渡るようにしてもよい。
【００２５】
コンクリート６は、普通コンクリートによってキャップ部材９から地山４に渡って打設されている。キャップ部材９上にねじ１１がある場合には、コンクリート６がねじ１１をも覆うようにして打設される。打設の厚さは約５０ｍｍであるが、土圧の状況によっては変更させてもよい。また、コンクリート６も構造設計上で計算されない捨てコンクリート６’であってもよいが、その際には図６に示すように、地山４とは反対の掘削面Ｂ上に砕石１２を敷設して転圧して捨てコンクリート６’を打設し、捨てコンクリート６’の硬化後に、その上にさらにコンクリート６による基礎構造物１４が構築されることが好ましい。
【００２６】
本実施形態において、土留め構造物１は、以下に述べる第一工程から第三工程を実施することにより、形成される。まず、第一工程では、掘削面Ｂに立設部材７のアンカー部材７ａ及び７ｂを打込み、土留め壁２の下部２ｂをアンカー部材７ａ及び７ｂで挟持させる。さらに、土留め壁２の上部２ａに軸断面がコ字状のキャップ部材９を被せ、ねじ１１によってアンカー部材７ａと土留め壁２とキャップ部材９とを固定する。さらに、掘削面Ｂに支持部材８のアンカー部材８ａを打込み、連結部材８ｂの一端をアンカー部材８ａと当接し、他端を土留め壁２と当接することによって、土留め壁２を後述する土圧によって転動及び滑動しないように立設にする。
【００２７】
次の第二工程では、地山４と土留め壁２との間を盛土５で所定の厚さまで埋戻して締固めを行う。埋戻し面Ｃは、盛土５の埋戻しと締固めの繰り返し作業により形成される。埋戻し面Ｃの形成後は、シート部材３が埋戻し面Ｃの一部又は全部を覆うように設置し、キャップ部材９に設けられているねじ穴１０にねじ１１を羅入して土留め壁２の上部２ａにこのシート部材３を固定する。第三工程では、土留め壁２の上部２ａから地山４に渡り、かつ、シート部材３と一体成形されるようにして所定厚のコンクリート６を打設し、コンクリート６の硬化を待って養生し、支持部材８を取り外して土留め構造物１を形成する。
【００２８】
以上述べた第一の実施形態によれば、第二工程においては地山４及び盛土５からの全土圧を土留め壁２が支持するものの、第三工程においては、シート部材３の作用により、土留め壁２の上部２ａから地山に渡って打設されるコンクリート６と土留め壁２とが協働して土圧を支持するため、土留め壁の軽量化を図ることができる。なお、応力の集中する土留め壁２とコンクリート６との連結部である上部２ａは、コンクリート６中に埋設し、一体成形されているので連結部分における強度が確保され、上部２ａからの破断を防止している。
【００２９】
また、この第一の実施形態において、地山４と反対の掘削面Ｂ上に基礎構造物１４を構築する場合には、土留め構造物１は基礎構造物１４が構築されるまで、地山４と盛土５とからの土圧を支持していれば良いため、簡易的な土留め構造物１とすることもできる。
【００３０】
図７及び図８に示すように、本発明の第二の実施形態においては、土留め構造物１５が、第一の実施形態の土留め構造物１において、シート部材１３が土留め壁２の上部２ａに断続的に設けられている。ここで、第一の実施形態の場合と同様の要素については同一の符号を付与し、説明を省略する。
【００３１】
シート部材１３は、縦６２０ｍｍ×横１８２０ｍｍの網状部材であって、網目の大きさ及び形状等については第一の実施形態の場合と同様である。このシート部材１３の大きさは、施工者が容易に扱える範囲に止めることが望ましい。また、シート部材１３は所定の間隔をもって設置されていれば、図８に示すようにシート部材１３を地山４にまで渡るように敷設してもよい。
【００３２】
本実施形態においては、第一工程で第一の実施形態と同様の埋戻し面Ｃを形成した後、第二工程として、シート部材１３を所定の間隔をもって設置し、キャップ部材９に設けられているねじ穴１０にねじ１１を羅入して土留め壁２の上部２ａにシート部材３を固定する。さらに、第三工程では、第一の実施形態と同様の基礎地盤Ｄを形成して土留め構造物１５を形成する。
【００３３】
この第二の実施形態によれば、シート部材１３が埋戻し面Ｃ上に所定の間隔をもって設置されるので、シート部材１３が設置されていない面を施工者の立ち位置とすることができるようになる。つまり、シート部材１３のキャップ部材９への固定が容易となるので作業効率が良くなる。
【００３４】
また第二の実施形態によれば、シート部材１３が埋戻し面Ｃ上に所定の間隔をもって設置しているので、土留め構造物１５において応力の集中する土留め壁２とコンクリート６との連結部である上部２ａに求められる強度を調整しやすくなる。また、他の土留め構造物１において余ったシート部材１３を流用することができるのでシート部材３の廃棄される量を低減できる。
【００３５】
図９に示すように、本発明の第三の実施形態においては、土留め構造物１が、互いに対向させて立設した複数の土留め壁２間に横架されており、複数の土留め壁２を相互に固定する横架部材１６を付加的に備えている。本実施形態においても、第二の実施形態の場合と同様に、同様の要素については同一の符号を付与し、説明を省略する。
【００３６】
横架部材１６は、対向する土留め壁２の間に渡って両端部で固定するように構成されている。横架部材１６は、土留め壁２の間に渡って転動することを防止することができれば、他の形状、材質であってもよい。また、図示しないが、隣接する土留め壁２の上部２ａに直交する斜め部材を利用して土留め壁２の転動を防止してもよい。また、隣接する前記土留め壁２の間は、溶接により固着されているが、Ｌ型部材等を用いて固着してもよい。
【００３７】
この第三の実施形態によれば、隣接する又は対向する土留め壁２を横架部材１６や斜め部材によって転動の防止を行うので、土留め壁２の立設が容易となるだけでなく、支持部材８も不要となるので作業効率が向上する。
【００３８】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００３９】
１、１５    土留め構造物
２    土留め壁
２ａ  上部
２ｂ  下部
３、１３    シート部材
４    地山
５    盛土
６、６’    コンクリート
７    立設部材
７ａ、７ｂ、８ａ  アンカー部材
８    支持部材
８ｂ  連結部材
９    キャップ部材
１０    ねじ穴
１１    ねじ
１２    砕石
１４    基礎構造物
１６    横架部材
Ａ    法面
Ｂ    掘削面
Ｃ    埋戻し面
Ｄ    基礎地盤
【図１】
2012158937.tif 000003
【図２】
2012158937.tif 000004
【図３】
2012158937.tif 000005
【図４】
2012158937.tif 000006
【図５】
2012158937.tif 000007
【図６】
2012158937.tif 000008
【図７】
2012158937.tif 000009
【図８】
2012158937.tif 000010
【図９】
2012158937.tif 000011